(57)【特許請求の範囲】
【請求項１】
採集用の少なくとも１つの容器（１２）を有する顕微解剖用試料を収容するための装置（１０）であって、Ｘ−Ｙステージ（２）のステージ面（４）と汚染遮蔽パネル（４２）によって規定される開放空間（３２）に移動可能であるように配置される装置において、前記容器（１２）が、前記装置において個別の保持要素（５４）上に配置され、前記装置（１０）を切替えることによって、一度に１つの保持要素（５４）を採集位置に運ぶことができる装置（１０）。
【請求項２】
前記保持要素（５４）と共に、前記装置（１０）の中に配置することができる引出し（１０ａ）によって特徴付けられる、請求項１に記載の装置。
【請求項３】
前記保持要素（５４）の採集位置が、前記容器（１２）が汚染遮蔽パネル（４２）に形成される切開部（４４）を通り抜け、前記汚染遮蔽パネル（４２）によって規定される上面（４２ａ）を越えて突出するように構成されている、請求項１に記載の装置。
【請求項４】
前記容器（１２）が、タブ（１２ｂ）によって下方部分（１２ｃ）に接合されるカバー（１２ａ）を具備し、前記カバー（１２ａ）が、容器開放部（１２ｄ）を規定し、該容器開放部（１２ｄ）が実質的に前記汚染遮蔽パネル（４２）の方向に面するように、前記カバー（１２ａ）が前記持要素（５４）に取付けられている、請求項１乃至３のいずれか１項に記載の装置。
【請求項５】
前記保持要素（５４）が、前記引出し（１０ａ）において枢動可能であるように配置され、ロッド（２５）が軸（２５ａ）を規定し、その軸を中心にして枢動可能である前記保持要素（５４）が、前記引出し（１０ａ）内に設けられている、請求項１に記載の装置。
【請求項６】
前記保持要素（５４）の各々が、第１および第２の部分（５４ａ，５４ｂ）を具備し、前記ロッド（２５）を中心にして軸受を構成する窪み（６２）が、前記保持要素（５４）に構成され、重力の中心が前記保持要素（５４）の前記第１の部分（５４ａ）に位置し、前記容器（１２）を収容しかつ保持するように構成される取付台（６４）が、前記保持要素（５４）の前記第１の部分（５４ａ）に設けられている、請求項５に記載の装置。
【請求項７】
前記保持要素（５４）が、窪み（６２）によって前記ロッド（２５）上に緩く置かれ、該保持要素（５４）を、組立作業を行うことなく、前記引出し（１０ａ）から除去することができる、請求項６に記載の装置。
【発明の詳細な説明】
【０００１】
【発明の属する技術分野】
本発明は、採集用の少なくとも１つの容器を有する顕微解剖用試料を収容するための装置であって、Ｘ−Ｙステージのステージ面とＸ−Ｙステージの上方に配置される汚染遮蔽パネルによって規定される開放空間で移動可能であるように配置される装置に関する。
【０００２】
【従来の技術】
ドイツ特許公報第ＤＥ−Ａ−１００  １８  ２５１．８号には、標本のレーザ切断装置について述べられている。この装置は、ステージ面を規定するＸ−Ｙステージを備える。標本を有する試料スライドを収容するための取付台は、ステージ面上に配置され、Ｙ方向およびＸ方向に移動可能であるようにＸ−Ｙステージに接合されている。取付台とステージ面との間に、開放作業空間が規定されており、切り取られた標本の一部を採集するための少なくとも１つの容器を有する採集装置を中に挿入することができる。
【０００３】
【発明が解決しようとする課題】
しかし、容器を標本の十分近い位置まで持ってくることができないため、この特許では、切り取られた標本（顕微解剖用試料）の信頼性の高い採集が、完全に保証されているわけではない。
【０００４】
上述した事情に鑑み、本発明の目的は、顕微解剖用試料の信頼性の高い採集を保証すると同時に、簡易かつ使い勝手のよい操作を実現する顕微解剖用試料の採集装置を製作することにある。
【０００５】
【課題を解決するための手段】
上述した目的を解決するため、この発明では、採集用の少なくとも１つの容器（１２）を有する顕微解剖用試料を収容するための装置（１０）であって、Ｘ−Ｙステージ（２）のステージ面（４）と汚染遮蔽パネル（４２）によって規定される開放空間（３２）に移動可能であるように配置される装置において、前記容器（１２）が、前記装置において個別の保持要素（５４）上に配置され、前記装置（１０）を切替えることによって、一度に１つの保持要素（５４）を採集位置に運ぶことができるようにしている。
【０００６】
【発明の実施の形態】
図１は、対物レンズ３６によって規定される光軸２４に実質的に垂直を成して立っているＸ−Ｙステージ２の断面を示している。Ｙ方向に移動可能であるプレート２０は、静止ベースプレート１８上に配置される。移動時に、プレート２０は、図１によって規定される図面から移動されると推測される。可動プレート２０は、Ｘ−Ｙステージ２のステージ面４を規定する。ステージ面４上に、調整装置４６，４８を備えることができる顕微解剖用試料を採集するための装置１０が設けられる。また、装置１０が開放作業空間１６において手動で移動されてもよいことは、自明である。
【０００７】
試料スライドホルダ１４は開放空間３２を規定し、標本８が開放空間３２に完全に配置されるように、開放空間３２の上に試料スライド６が配置される。試料スライド６が試料スライドホルダ１４上にある場合には、標本８はステージ面４に面するように配置される。顕微鏡（図示せず）の対物レンズ３６は、光軸２４上で試料スライド６と関連付けられ、標本８の画像を生成する。標本８を顕微解剖用試料と呼ばれる小さな部分に切り取るために、結合されるレーザビーム３８も、対物レンズ３６によって標本８上に指向される。重力によって、切り取られた部分が、採集装置１０の容器の中に直接落ちるように、採集装置１０は、標本８の下に配置される。採集装置１０の容器１２の数は、利用状態に合わせることができる。
【０００８】
２つの支持要素４０が、静止ベースプレート１８に取付けられる。支持要素４０は、ホルダ１４と採集装置１０との間で、光軸２４に対して静止している汚染遮蔽パネル４２を支持する。汚染遮蔽パネル４２は、試料スライドホルダ１４が載っている上面４２ａを規定する。汚染遮蔽パネル４２は、ステージ面４全体に及び、それによって、開放作業空間１６の上部境界を構成する。汚染遮蔽パネル４２は、光軸２４の周囲に切開部４４を備える。切り取られた顕微解剖用試料を収容するための容器１２を有する採集装置１０は、開放作業空間１６の中に配置される。採集装置１０は、容器１２のアレイを具備することができる。汚染遮蔽パネル４２は、周囲の空気から塵または他の粒子が採集装置１０の容器１２に堆積しないようにする。さらに、汚染遮蔽パネル４２は、標本８のレーザ切断中、取り除かれた標本の一部が容器１２に堆積しないようにする。本願明細書では、他の容器１２が覆われている間、常に装置１０の１つの容器１２のみが汚染遮蔽パネルの切開部４４を通じて採集するために開放されることが好都合であると分かっている。
【０００９】
調整装置４６は、採集装置１０に接合され、いずれもステージ面４に配置される。調整装置４６の手動操作に加えて、モータ４８も、ステージ面４上で調整装置４６のモータによる移動を行うために設けられることができる。モータ４８は、調整装置４６を制御することができるコンピュータ５０に接続される。コンピュータ５０は、それぞれ所望の容器が切開部４４、すなわち現在、レーザ切断操作を受けている標本８の領域の下に配置されるように、採集装置１０を移動する。レーザ切断操作が終了すると、切り取られた顕微解剖用試料が、重力によって容器１２内に落ちる。必要であれば、別に切り取られた顕微解剖用試料を採集するために、コンピュータ５０は、別の（または空の）容器１２を対応するように配置する。
【００１０】
コンピュータ５０は、モニタ５２にさらに接続される。モニタ５２によって、たとえば、マウス（図示せず）を用いて、所望の容器１２を選択することが可能である。そのため、容器１２の数および配置は、モニタ５２に概略的に示される。汚染遮蔽パネル４２は試料スライドホルダ１４の下に直接設けられ、選択に基づいて、選択された容器が切開部４４の下に移動される。これは、自動的に行うことができ、使用者による介入を必要としない。
【００１１】
図２は、採集装置１０の一部の斜視図を示している。装置１０は、加工物から圧延されたフレーム１１またはプラスチックから射出成形されたフレーム１１を有する引出し１０ａを具備する。標本８のための照射光が通過することができるようにするために、フレーム１１は、さらに開口部１５および位置合せマーク１５ａを具備する中央支柱１３を備える。位置合せマーク１５ａの目的は、顕微鏡の光軸２４に対して装置１０の位置を決定することである。フレーム１１は、細長い切欠き１７を備えることができる２つの対向する側面１１ａを具備する。切欠き１７は、調整装置４６のための係合領域を規定する。中央支柱１３は、ロッド２５が誘導されて凹みに収め、２つの側面１１ａに保持される窪み１９を具備する。ロッド２５は、容器１２のための保持要素５４を取付け、支持するように形成される（図３参照）。中央支柱１３はまた、ハンドル要素５６が接合される端面１３ａを規定する。ハンドル要素５６は、引出し１０ａの取っ手として作用し、かつ引出し１０ａを装置１０およびＸ−Ｙステージ２内に入れるために作用する。引出し１０ａは、さらに凹部５８を有し、一方では保持要素５４の移動の十分な自由度を提供し、他方では開口部１５を通過する照射光ビーム（図示せず）を通すことができるようにする。
【００１２】
図３は、所定の位置にある複数の保持要素５４を有する引出し１０ａを示している。ここに示される具体的な実施形態において、４つの保持要素５４は、引出し１０ａの中に配置される。引出し１０ａが４つの保持要素５４を収容するためだけに構成される必要がないことは自明である。保持要素５４は、ロッド２５の周囲に部分的に適合する窪み６２（図５および図６参照）を有する。保持要素５４は、ロッド２５の上に単に置かれているだけであり、窪み６２によって適切な位置に固定される（図５および図６参照）。したがって、組立作業を行うことなく、引出し１０ａおよび装置１０から保持要素５４を迅速かつ簡単に除去することが可能である。ロッド２５は、たとえば、引出し１０ａの側部の端面１１ａに係合するねじ７４を用いて固定されることができる。装置１０のハンドル要素５６は、ハンドルねじ７６を用いて引出し１０ａに接合される。具体的な本実施形態において、中央支柱１３の２つの側部上の保持要素５４の数は、同一である。図２に関連して既に述べたように、中央支柱１３は、位置合せマーク１５ａと、試料スライド６上の標本８を照射するための照射光の経路のための開口部１５と、を備える。また、引出し１０ａの構成に関して、中央支柱１３を装置１０の中央に配置する必要はない。ここに示されたフレーム１１の構成は、いかなる様式でも制限と捉えるべきではない。引出し１０ａの側部１１ａの長さは、保持要素５４およびそれに配置される握り６８が側部１１ａを越えて突出するような寸法である。保持要素は、容器１２のための取付台６４を有する。容器１２は、顕微解剖用試料が中に採集されるコップ状の形状を有する。示された具体的な実施形態において、容器１２は、タブ１２ｂによって下方部分１２ｃに接合される。装置１０の引出し１０ａの中に配置されるために、専用の同一の保持要素５４または同一に構成された保持要素５４は必要ではない。
【００１３】
引出し１０ａの底面図が、図４に示されている。摺動要素６０は、ハンドル要素５６の軸５６ａに垂直を成すように、フレーム１１に取付けられる。引出し１０ａおよび装置１０全体がステージ面４上で滑らかに摺動するようにするために、摺動要素６０が設けられる。摺動要素６０は、側部１１ａの間のほぼ全体にわたって延在するように取付けられる。Ｔｅｆｌｏｎ（登録商標）は、摺動要素６０を構成するための１つの可能な材料である。
【００１４】
本発明による保持要素５４の一実施形態の側面図が、図５に示されている。保持要素５４は、細長い実質的に矩形の形状を有する。ここに示された具体的な実施形態の形状は、一切制限するものとして捉えるべきではない。保持要素５４は、ロッド２５が係合する窪み６２を有する。保持要素６２は、第１の部分５４ａおよび第２の部分５４ｂに再分割されることができる。第１の部分５４は窪み６２からみて左側に延在し、第２の部分５４ｂは窪み６２からみて右側に延在する。ロッド２５が窪み６２と協働するとき、窪み６２に関して一様でない質量の配分によって、保持要素５４の傾斜が生じる。保持要素５４の第１の部分５４ａは、その先端に容器１２のための取付台６４を備える。取付台６４に対向して、装置１０における保持要素５４の傾斜の下側方向を制限するストップ６６が設けられる。このため、引出し１０ａにストップ６６と協働し、保持要素５４の傾斜を制限する対抗素子６７が形成される（図２または図４参照）。保持要素５４の第２の部分５４ｂは、握り６８を備え、それによって、保持要素５４の傾斜を加減するために、装置１０の移動時に突起７０（図７および図８参照）と協働する。握り６８は、保持要素５４上に構成されることができ、保持要素５４と同一の材料で製作されることができる。握り６８はまた、保持要素５４と異なる材料で構成されてもよい。このために、必要なエネルギー消費を最小限に抑えるために、摩擦係数の低い材料が推奨される。
【００１５】
図６に示される保持要素５４の斜視図は、第１の部分５４ａにおいて、特殊な形状の容器１２の収容または移動に作用するアパーチャ７２を有する。
【００１６】
図７および図８は、汚染遮蔽パネル４２との相互作用にある装置１０を示しており、その下面に斜面７０ａを有する突起７０を具備する。既に述べたように、突起７０は、保持要素５４の第２の部分５４ｂ上で握り６８と協働する。図７は、握り６８が依然として突起７０の正面に位置しており、突起７０とまだ協働していない状態を示している。保持要素５４の窪み６２によって誘導されるロッド２５によって、ロッド２５を中心にして、保持要素５４を回転することができる。図５および図６の説明で既に述べたように、保持要素５４の第１の部分５４ａは、第２の部分５４ｂより質量が大きいため、保持要素５４は、汚染遮蔽パネル４２に対して傾斜される。保持要素５４のストップ６６は、保持要素５４の傾斜を制限する引出し１０ａ上にある対応する対抗要素６７と協働する。容器１２は、保持要素５４の第１の部分５４ａの中に設定される。容器１２は、タブ１２ｂによって下方部分１２ｃに接合されるカバー１２ａを具備する。容器１２のカバー１２ａは取付台６４に配置され、下方部分１２ｃは保持要素５４の第１の部分５４ａ上で、取付台６４の下に配置される。カバー１２ａは、汚染遮蔽パネル４２の切開部４４と係合しない。
【００１７】
図８に示したように、装置１０のさらなる移動時には、保持要素５４の握り６８は、汚染遮蔽パネル４２の突起７０と係合する状態になっている。突起７０の斜面７０ａおよび握り６８の斜面６８ａは、保持要素５４が持ち上げられ、容器１２が汚染遮蔽パネル４２の少なくとも上面４２と同一平面を成すように協働する。切り取られた顕微解剖用試料を高い信頼性で確実に収容するために、容器１２に関して、標本８にできる限り近い位置に持ってくることが望ましい。次に、容器１２は、汚染遮蔽パネル４２の切開部４４を通って突出し、汚染遮蔽パネル４２の上面４２の上にわずかに持ち上げられていると推測される。図７および図８に示される具体的な実施形態において、握り６８と突起７０の協働は、ロッド２５によって規定される軸２５ａを中心にした保持要素５４の枢動を生じる。それによって、保持要素５４の第２の部分５４ｂは下げられ、保持要素５４の第１の部分５４ａは上述した位置に運ばれる。
【００１８】
【発明の効果】
上述した目的は、容器が装置内の個別の保持要素に配置されることと、装置を切替えることによって、一度に１つの保持要素を採集位置に持ってくることができ、容器が汚染遮蔽パネルによって規定される上面と同一平面を成すようにすることと、を特徴とする装置によって実現される。
【００１９】
本発明は、一実施形態において、容器が汚染遮蔽パネルによって規定される上面と同一平面を成すように、保持要素の採集位置が構成されるという利点がある。そのため、汚染遮蔽パネルに枢動可能な保持装置を用いて容器を上面に持ってくることができるように切開部が形成されている。容器の上縁は、上面と同一平面を成している。さらに、保持要素の採集位置は、容器が汚染遮蔽パネルに形成される切開部を通ってわずかに突き抜け、汚染遮蔽パネルによって規定される上面を越えて突出するように構成されることができる。
【００２０】
顕微解剖用試料が中に落ちる使用容器は、一般にコップ状の形状を有する。これらの容器は、顕微解剖用試料が停止する窪みを備えている。容器の１つの可能な形状では、容器がタブによって下方部分に接合されるカバーを具備している。カバーは容器の開口部を規定し、カバーは、容器の開口部が実質的に汚染遮蔽パネルの方向に面するように保持要素に取付けられる。
【００２１】
保持要素は引出しにおいて枢動可能であるように配置されることが、特に好都合であることが分かってきた。引出しに設けられるロッドは、保持要素が枢動可能であるような枢軸を規定する。さらに好都合な実施形態については、従属クレームから明白である。なお、本発明の主題は、図面において概略的に示され、図に関連して上記説明がなされている。
【図面の簡単な説明】
【図１】図１は、顕微解剖用試料を採集するための装置をさらに具備するＸ−Ｙステージの断面を示す図。
【図２】図２は、採集装置の一部である引出しの斜視図。
【図３】図３は、複数の保持要素が引出しに配置されている採集装置の斜視図。
【図４】図４は、採集装置の引出しの底面図。
【図５】図５は、容器のための保持要素の具体的な実施形態の側面図。
【図６】図６は、容器のための保持要素の斜視図。
【図７】図７は、容器が収容位置にないときの採集装置に配置されている保持要素の側面図。
【図８】図８は、容器が収容位置にあるときの採集装置の保持要素の側面図。
【符号の説明】
２  Ｘ−Ｙステージ、  ４  ステージ面、  ６  試料スライド、  ８  標本、１０  顕微解剖用試料を収容するための装置、  １０ａ  引出し、  １１  フレーム、  １１ａ  フレームの側面、  １２  容器、  １２ａ  カバー、  １２ｂ  タブ、  １２ｃ  下方部分、  １３  中央支柱、  １３ａ  端面、  １４  試料スライドホルダ、  １５  開口部、  １５ａ  位置合せマーク、  １６  開放作業空間、  １７  切欠き、  １８  静止ベースプレート、  １９  窪み、  ２０  可動プレート、  ２４  光軸、  ２５  ロッド、  ２５ａ  ロッド２５の軸、  ３２  開放空間、  ３６  対物レンズ、  ３８  結合されるレーザビーム、  ４０  支持要素、  ４２  汚染遮蔽パネル、  ４２ａ  汚染遮蔽パネル４２の上面、  ４４  切開部、  ４６  調整装置、  ４８  モータ、  ５０  コンピュータ、  ５２  モニタ、  ５４  保持要素、  ５４ａ  第１の部分、  ５４ｂ第２の部分、  ５６  ハンドル要素、  ５６ａ  ハンドル要素５６の軸、  ５８  凹部、  ６０  摺動要素、  ６２  窪み、  ６４  容器１２の取付台、  ６６  ストップ、  ６７  対抗要素、  ６８  握り、  ６８ａ  握り６８の斜面、７０  突起、  ７０ａ  突起７０の斜面、  ７２  アパーチャ、  ７４  ねじ、  ７６  ハンドルねじ
【図１】
0003641454.tif 000002
【図２】
0003641454.tif 000003
【図３】
0003641454.tif 000004
【図４】
0003641454.tif 000005
【図５】
0003641454.tif 000006
【図６】
0003641454.tif 000007
【図７】
0003641454.tif 000008
【図８】
0003641454.tif 000009